(57)【特許請求の範囲】
【請求項１】
長手方向正面視で門形を成して天井中央部で左右に分離できるように少なくても長手方向両端で蝶番で連接されて、遊歩通路を備えた左と右の躯体フレームが、各々移動手段上に搭載されて一ブロックが構成され、
上記移動手段は、前記躯体フレームに対して旋回可能な自走台車を有しており、
前記蝶番は、一端側の蝶番を連結した状態で他端側の蝶番を解放した際に、一端側の蝶番を中心として円弧方向に沿い右と左の躯体フレームが旋回移動できる状態で取り付けられており、
前記遊歩通路は、異なるブロックの相互間で連結や遮断ができる状態で備えられていることを特徴とする可動モール。
【請求項２】
上記ブロックは、長手方向において分離可能な蝶番によって複数連結されることを特徴とする請求項１記載の可動モール。
【請求項３】
上記躯体フレームは、その底部に上記自走台車に隣接して昇降可能なアウトリガーを搭載していることを特徴とする請求項１記載の可動モール。
【請求項４】
上記自走台車は、複数のキャスター形転動輪とモータ駆動輪とを備えていることを特徴とする請求項１記載の可動モール。
【請求項５】
長手方向正面視で門形を成して天井中央部で左右に分離できるように少なくても長手方向両端で蝶番で連接されて、遊歩通路を備えた左と右の躯体フレームが、各々移動手段上に搭載されて一ブロックが構成され、
上記移動手段が、複数のエアーベアリングと昇降可能な駆動輪とから構成されており、
前記蝶番は、一端側の蝶番を連結した状態で他端側の蝶番を解放した際に、一端側の蝶番を中心として円弧方向に沿い右と左の躯体フレームが旋回移動できる状態で取り付けられており、
前記遊歩通路は、異なるブロックの相互間で連結や遮断ができる状態で備えられていることを特徴とする可動モール。
【請求項６】
上記ブロックは、長手方向において分離可能な蝶番によって複数連結されることを特徴とする請求項５記載の可動モール。
【請求項７】
上記躯体フレームは、その底部のブロック連接端側に路面の案内溝に係合する案内ローラを備えていることを特徴とする請求項５記載の可動モール。
【請求項８】
上記ブロック連接用の蝶番は、シリンダーの伸縮で旋回して左右の躯体フレームを離したり寄せたりする扇形歯車を備えていることを特徴とする請求項６記載の可動モール。
【発明の詳細な説明】
【０００１】
【発明の属する技術分野】
この発明は、テーマパーク等の会場内において移設することで遊歩形態を多様化させることができる可動モールに関し、特に自走移動用の駆動手段を備えた可動モールの駆動方式に工夫を施したものである。
【０００２】
【従来の技術】
従来よりテーマパーク等の会場では、記念品や土産を購入したり、休憩する場所として小規模な出店や屋台等の売店や茶屋が多く見受けられた。これらは、会場内の各場所に散在したり、会場の出入口付近に集約されており、利用者には安直で便利な点が多々あり、長いこと因習的に小規模散在形態若しくは出入口集約形態が取られてきた。
【０００３】
【発明が解決しようとする課題】
しかし、上記従来の小規模散在形態や出入口集約形態では、テーマパーク等の会場において何ら目新しさが無く、来場者に与える印象もあまり良くない。来場者が記念品や土産を購入したり、休憩する際も、より楽しく、ゆったりとくつろげるように、また会場について好印象を与えることができるインパクトのある新しいアイデアが待望されていた。
【０００４】
本発明は、上記の事情に鑑み提案されたものであって、テーマパーク等の会場内で適宜移動して外観を変えて設定することができ、また会場への来場者が記念品や土産を購入したり休憩する際も、より楽しく、ゆったりとくつろぐことができ、また会場について魅力的で好印象を与えることができるインパクトのある可動モールを提供することを目的としている。
【０００５】
【課題を解決するための手段】
上記した目的を達成するために、本発明の請求項１記載の可動モールは、長手方向正面視で門形を成して天井中央部で左右に分離できるように少なくても長手方向両端で蝶番で連接されて、遊歩通路を備えた左と右の躯体フレームが、各々移動手段上に搭載されて一ブロックが構成され、
上記移動手段は、前記躯体フレームに対して旋回可能な自走台車を有しており、
前記蝶番は、一端側の蝶番を連結した状態で他端側の蝶番を解放した際に、一端側の蝶番を中心として円弧方向に沿い右と左の躯体フレームが旋回移動できる状態で取り付けられており、
前記遊歩通路は、異なるブロックの相互間で連結や遮断ができる状態で備えられていることを特徴としている。
【０００６】
上記構成からなる本発明の請求項１記載の可動モールでは、会場の配列構成に変化を与えるために、またイベントに応じて、旋回可能な自走台車から成る移動手段によって会場の適当な場所へ移動して外観を変えて設営することができる。即ち、モールの形態自身も、左右躯体フレームを閉じて連結し且つ天井中央部を連結した移動時のトンネル状形態から、天井左右中央部で端部蝶番を分離して端部を『ハ』の字状に開いた形態を取ることができ、会場に魅力的で好印象を与えるインパクトのある景観を提供できる。来場者は、躯体フレームに設けられた遊歩通路を通って日差しや強い風を避けて、適宜休憩場所で休憩したり、店でショッピングしたり、イベント情報等を得ることができ、またより楽しく、ゆったりとくつろぐことができる。
【０００７】
請求項２記載のように、ブロックは、長手方向において分離可能な蝶番によって複数連結され、左右の躯体フレームが閉じた直列状態から隣接ブロックと共に長手方向中間部において左右に膨らむように『く』の字状に屈曲した形態を取ることができ、より多様な形態をとることができる。
【０００８】
請求項３記載のように、躯体フレームは、その底部に自走台車に隣接して昇降可能なアウトリガーを搭載することができ、外観変更時にアウトリガーを下降させて躯体フレームを揚げ、手動でも電動でも自走台車の向きを容易に変換させることができる。
【０００９】
請求項４記載のように、自走台車は、複数のキャスター形転動輪とモータ駆動輪とを備えることができ、躯体フレームの重量を多くのキャスター形転動輪に分散して移動走行を安定化することができる。
【００１０】
更に上記した目的を達成するために、本発明の請求項５記載の可動モールは、長手方向正面視で門形を成して天井中央部で左右に分離できるように少なくても長手方向両端で蝶番で連接されて、遊歩通路を備えた左と右の躯体フレームが、各々移動手段上に搭載されて一ブロックが構成され、
上記移動手段が、複数のエアーベアリングと昇降可能な駆動輪とから構成されており、
前記蝶番は、一端側の蝶番を連結した状態で他端側の蝶番を解放した際に、一端側の蝶番を中心として円弧方向に沿い右と左の躯体フレームが旋回移動できる状態で取り付けられており、
前記遊歩通路は、異なるブロックの相互間で連結や遮断ができる状態で備えられていることを特徴としている。
【００１１】
上記構成からなる本発明の請求項５記載の可動モールでは、会場の配列構成に変化を与えるために、またイベントに応じて、複数のエアーベアリングと昇降可能な駆動輪とから成る移動手段によって会場の適当な場所へ移動して外観を変えて設営することができる。即ち、モールの形態自身も、左右躯体フレームのブロックを閉じて天井中央部を連結した移動時のトンネル状形態から、天井中央部で端部蝶番を分離して長手方向端部を『ハ』の字状に開いた形態を取ることができ、会場に魅力的で好印象を与えるインパクトのある景観を提供できる。来場者は、躯体フレームに設けられた遊歩通路を通って日差しや強い風を避けて、適宜休憩場所で休憩したり、店でショッピングしたり、イベント情報等を得ることができ、またより楽しく、ゆったりとくつろぐことができる。
【００１２】
請求項６記載のように、ブロックは、長手方向において分離可能な蝶番によって複数連結され、左右の躯体フレームが閉じた直列状態から隣接ブロックと共に長手方向中間部において左右に膨らむように『く』の字状に屈曲した形態を取ることができ、より多様な形態をとることができる。
【００１３】
請求項７記載のように、躯体フレームは、その底部のブロック連接端側に路面の案内溝に係合する案内ローラを備えることができ、エアーベアリングと昇降可能な駆動輪によって移動中に強い横風を受けても可動モールの移動安定性を確保することができる。
【００１４】
請求項８記載のように、ブロック連接用蝶番は、シリンダーの伸縮で旋回して左右の躯体フレームを離したり寄せたりする扇形歯車を備えることができ、隣接ブロック同士の長手方向中間部を『く』の字状に屈曲した形態を取る際に、昇降可能な駆動輪の向きを変換しなくても、シリンダーの伸縮によって扇形歯車を旋回することで容易に可動モールの外観変更を行うことができる。
【００１５】
【発明の実施の形態】
本発明に係る代表的な実施の形態に係る可動モールについて、添付図面を参照して以下に詳細に説明する。
【００１６】
図１は本発明に係る可動モールのトンネル状態での端面図、図２は第１の実施の形態の２連ブロック式可動モールの『く』の字状展開状態を説明する説明平面図、図３は同可動モールの図２における III部の自走台車周りの拡大平面図、図４は同可動モールの同自走台車周りの拡大立面図、図５は同可動モールの分離可能な蝶番の平面図、図６は第２の実施の形態の２連ブロック式可動モールの『く』の字状展開状態を説明する説明平面図、図７は同可動モールの図６におけるVII − VII線に沿った断面図、図８は同可動モールの図６におけるVIII−VIII線に沿った断面図、図９は同可動モールの図６におけるIX−IX線に沿った断面図、図１０は同可動モールの躯体フレーム展開用駆動装置の平面図である。
【００１７】
図１から図５において、本発明に係る第１の実施の形態の２連ブロック式可動モール１は、テーマパークの会場において移動手段の自走台車１５によって移動、展開するタイプであり、その各ブロック１Ａ，１Ｂはほぼ同じ外形であり、長手方向正面視で半円形の門形を成し、天井中央部で左右に分離可能で且つロック可能な蝶番１１によって各端部で相互に連接された左右の躯体フレーム１０，１０から構成されている。ブロック１Ａ，１Ｂの左右の躯体フレーム１０は、各左右のもの同士が上記蝶番１１によってブロック連接部の天井中央部において連結されている。蝶番１１は、図５に示すように、閉じると相手側のピン１１Ａに対してノッチ部で係合する一対のアーム１１Ｂ，１１Ｂと、これらアーム１１Ｂ，１１Ｂの基端に各々固定され且つ相互に噛合した旋回歯車１１Ｃ，１１Ｃと、一方の歯車１１Ｃにレバー１１Ｄを介して連接してアーム１１Ｂ，１１Ｂの開閉作動を行わせる伸縮シリンダー１１Ｅとから構成されている。図２に示すように左右対称に『く』の字状のみで使用するものでは、両外側蝶番を分離可能なものにする必要は無い。
【００１８】
各ブロック１Ａ，１Ｂには、相互に連絡や遮断可能な遊歩通路や売店、休憩所、インフォメーションセンター、階段等を３階に渡って備えている。これらブロック１Ａ，１Ｂの各躯体フレーム１０の外壁には、テーマパークの会場に合った装飾が適宜施され、また内部空間の上部にはイベント情報等の広告や垂れ幕、照明及び音響装置が設けられている。また、ブロック１Ａ，１Ｂの各躯体フレーム１０の底部外側１０Ａには、各別に例えば５組の移動手段である自走台車１５を備えている。かくして、この可動モール１は、イベントに応じて自走台車１５によって会場の適当な場所へ移動され、会場の配列構成に変化を与える。
【００１９】
各移動手段の自走台車１５は、図３と図４に詳しく示すように、躯体フレーム１０に対してロックピン１３で固定される旋回可能なボギー台車枠１５Ａの４隅位置にキャスター転動輪１５Ｂを、またその中央左右位置にブレーキ付きモータ駆動の駆動輪１５Ｃを各々搭載して構成されている。ボギー台車枠１５Ａの旋回は、台車枠１５Ａ上に固定されたリング歯車１５Ｄを躯体フレーム１０の底部外側１０Ａに搭載されたモータによってピニオンＰを介して行われる。また、躯体フレーム１０の底部外側１０Ａには、自走台車１５の向き設定や可動モール１の最終設定に使用する昇降可能な４組のアウトリガー１４を自走台車１５に隣接して搭載している。
【００２０】
上記構成の第１の実施の形態の２連ブロック式可動モール１の移動、展開について以下に概説する。先ず、所定の場所へ移動する時は、左右の躯体フレーム１０，１０を門形に閉じて直列の２連ブロック状態とし、自走台車１５の向きを長手方向に揃え且つアウトリガー１４を揚げて不作動状態にして駆動輪１５Ｃを作動させる。所定の場所へ到達すると、可動モール１の長手方向両外側の蝶番１１以外の蝶番１１を全て解放し、アウトリガー１４を下降させて躯体フレーム１０を揚げ、各自走台車１５を両外側の蝶番１１を各中心とする円弧方向に向き設定する。その後にアウトリガー１４を上昇させて自走台車１５を着地させ、図２の仮想線で示す位置まで左右外側に矢印Ｙ１方向に躯体フレーム１０，１０を旋回させる。その後一方の、例えば図２の右側ブロック１Ｂの躯体フレーム１０，１０をアウトリガー１４の下降によって揚げて、自走台車１５の向きを上記長手方向に向き直して、アウトリガー１４を上昇させて自走台車１５を着地させ、駆動輪１５Ｃを作動させて矢印Ｙ２方向の他方の左側ブロック１Ａへ寄せる。そこでブロック間連接蝶番１１を連結し、アウトリガー１４を下降させて可動モール１を安定的に設定する。再度移動のために、躯体フレーム１０，１０を門形に閉じて直列の２連ブロック状態へ、即ち初期状態へ復帰させるには、上記展開用手順の逆をたどることになる。
【００２１】
次に、図６から図１０において、本発明に係る第２の実施の形態の２連ブロック式可動モール２を説明する。これは、移動と展開に複数のエアーベアリング２６を併用し、移動には昇降可能なフリクション式駆動輪２７を、また展開にはシリンダー作動の旋回扇形歯車２８を使用するタイプであり、可動モール２の各ブロック２Ａ，２Ｂ、各躯体フレーム２０，２０及び蝶番２１は、上記第１の実施の形態のものと同じ構成と成っている。従って、第１の実施の形態と異なっている構成について以下に具体的に説明する。
【００２２】
先ず、移動手段の一つの移設用移動手段は、躯体フレーム２０の底部外側２０Ａに一定間隔で複数対、例えば１８対配列されたエアーベアリング２６と、それらの間に飛び飛びに、例えば４対配列された昇降可能な駆動輪２７と、路面Ｇに移動方向に沿って形成された案内溝ｇに係合するように躯体フレーム２０の底部外側２０Ａのブロック連接端側に回転可能に突設された案内ローラ２９とから構成されており、移動時には移動抵抗を軽減するために各エアーベアリング２６に開閉弁を備えた配管を介して圧縮空気が供給され、駆動輪２７が電動シリンダー２７Ａによって路面Ｇに向かって下降され、モータ２７Ｂによって回転駆動されるようになっている。
【００２３】
移動手段のもう一つの開閉用移動手段は、開閉移動時に移動抵抗を軽減するために上記エアーベアリング２６を共用しており、上記駆動輪２７を上昇させた状態でブロック連接用蝶番２１に付設された旋回扇形歯車２８をシリンダー２８Ａの伸縮によってレバー２８Ｂを介して旋回させて躯体フレーム２０，２０の開閉展開を行うものである。躯体フレーム２０，２０の開閉展開の際は、ブロック間連接用蝶番２１は連接状態を維持し、一方のブロック２Ａの扇形歯車２８と他方のブロック２Ｂの扇形歯車２８とを噛合状態にしており、また路面Ｇに展開の開閉方向に沿って形成された案内溝ｇ′に上記案内ローラ２９を係合させている。従って、左右の躯体フレーム２０，２０毎に、シリンダー２８Ａの伸縮によってレバー２８Ｂを介して一方の扇形歯車２８を旋回することで、左右の躯体フレーム２０，２０は直列状態と『く』の字状態との間で形態転換を行う。
【００２４】
上記構成の第２の実施の形態の２連ブロック式可動モール２の移動、展開について以下に概説する。先ず、所定の場所へ路面Ｇの案内溝ｇに沿って移動する時は、左右の躯体フレーム２０，２０を門形に閉じて直列の２連ブロック状態とし、エアーベアリング２６に圧力空気を供給して浮揚状態にして駆動輪２７を下降させて接地させてから作動させる。所定の場所へ到達すると、可動モール２の長手方向両外側の蝶番２１以外の躯体フレーム間連接用蝶番２１を全て解放し、ブロック間連接用蝶番２１を連結状態に維持し且つ浮揚状態を維持して、案内溝ｇ′に案内ローラ２９を係合させた状態で扇形歯車２８，２８を旋回させて図６の仮想線の直列位置から実線で示す位置まで矢印Ｙ３で示すように左右外側に『く』の字状態に可動モール２を展開する。展開後は、エアーベアリング２６への圧力空気の供給を停止して躯体フレーム２０，２０を安定的に設定する。再度移動のために、躯体フレーム２０，２０を門形に閉じて直列の２連ブロック状態へ、即ち初期状態へ復帰させるには、上記展開用手順の逆をたどることになる。
【００２５】
上記第１の実施の形態及び第２の実施の形態では、２連ブロック式可動モール１，２について説明したが、両外側を『ハ』状に展開して外観変換することもできる。更に、単一ブロックで『ハ』の字状態に一方側を展開したり、３連以上で展開と非展開とを組み合わせて繋げることもできる。両外側を『ハ』状に展開したり、単一ブロックで『ハ』の字状態に展開する場合は、上記旋回扇形歯車２８を使用できないために、昇降可能なフリクション式駆動輪２７を旋回可能に構成して向き設定できる構造とすることができよう。また第２の実施の形態での、路面Ｇの案内溝ｇに代えて移動時のみ使用する取り外し可能な案内レールを採用することもできよう。
【００２６】
【発明の効果】
以上の説明から明らかなように、本発明の請求項１記載の可動モールによれば、長手方向正面視で門形を成して天井中央部で左右に分離できるように少なくても長手方向両端で蝶番で連接されて、遊歩通路を備えた左と右の躯体フレームが、各々移動手段上に搭載されて一ブロックが構成され、
上記移動手段は、前記躯体フレームに対して旋回可能な自走台車を有しており、
前記蝶番は、一端側の蝶番を連結した状態で他端側の蝶番を解放した際に、一端側の蝶番を中心として円弧方向に沿い右と左の躯体フレームが旋回移動できる状態で取り付けられており、
前記遊歩通路は、異なるブロックの相互間で連結や遮断ができる状態で備えられている。
【００２７】
このため、会場の配列構成に変化を与えるべく、またイベントに応じて、旋回可能な自走台車から成る移動手段によって会場の適当な場所へ移動して外観を変えて設営することができる。即ち、モールの形態自身も、左右躯体フレームのブロックを直列に連結し且つ天井中央部を連結した移動時のトンネル状形態から、天井左右中央部で端部蝶番を分離して端部を『ハ』の字状に開いた形態を取ることができ、会場に魅力的で好印象を与えるインパクトのある景観を提供できる。来場者は、躯体フレームに設けられた遊歩通路を通って日差しや強い風を避けて、適宜休憩場所で休憩したり、店でショッピングしたり、イベント情報等を得ることができ、またより楽しく、ゆったりとくつろぐことができる。
【００２８】
請求項２記載の可動モールによれば、ブロックは、長手方向において分離可能な蝶番によって複数連結され、左右の躯体フレームが閉じた直列状態から隣接ブロックと共に長手方向中間部において左右に膨らむように『く』の字状に屈曲した形態を取ることができ、より多様な形態をとることができる。
【００２９】
請求項３記載の可動モールによれば、躯体フレームは、その底部に自走台車に隣接して昇降可能なアウトリガーを搭載することができるために、外観変更時にアウトリガーを下降させて躯体フレームを揚げ、手動でも電動でも自走台車の向きを容易に変換させることができる。
【００３０】
請求項４記載の可動モールによれば、自走台車は、複数のキャスター形転動輪とモータ駆動輪とを備えることができるために、躯体フレームの重量を多くのキャスター形転動輪に分散して移動走行を安定化することができる。
【００３１】
更に、本発明の請求項５記載の可動モールによれば、長手方向正面視で門形を成して天井中央部で左右に分離できるように少なくても長手方向両端で蝶番で連接されて、遊歩通路を備えた左と右の躯体フレームが、各々移動手段上に搭載されて一ブロックが構成され、
上記移動手段が、複数のエアーベアリングと昇降可能な駆動輪とから構成されており、
前記蝶番は、一端側の蝶番を連結した状態で他端側の蝶番を解放した際に、一端側の蝶番を中心として円弧方向に沿い右と左の躯体フレームが旋回移動できる状態で取り付けられており、
前記遊歩通路は、異なるブロックの相互間で連結や遮断ができる状態で備えられている。
【００３２】
このため会場の配列構成に変化を与えるべく、またイベントに応じて、複数のエアーベアリングと昇降可能な駆動輪とから成る移動手段によって会場の適当な場所へ移動して外観を変えて設営することができる。即ち、モールの形態自身も、左右躯体フレームのブロックを直列に連結し且つ天井中央部を連結した移動時のトンネル状形態から、天井中央部で端部蝶番を分離して長手方向端部を『ハ』の字状に開いた形態を取ることができ、会場に魅力的で好印象を与えるインパクトのある景観を提供できる。来場者は、躯体フレームに設けられた遊歩通路を通って日差しや強い風を避けて、適宜休憩場所で休憩したり、店でショッピングしたり、イベント情報等を得ることができ、またより楽しく、ゆったりとくつろぐことができる。
【００３３】
請求項６記載の可動モールによれば、ブロックは、長手方向において分離可能な蝶番によって複数連結され、左右の躯体フレームが閉じた直列状態から隣接ブロックと共に長手方向中間部において左右に膨らむように『く』の字状に屈曲した形態を取ることができ、より多様な形態をとることができる。
【００３４】
請求項７記載の可動モールによれば、躯体フレームは、その底部のブロック連接端側に路面の案内溝に係合する案内ローラを備えることができるために、エアーベアリングと昇降可能な駆動輪によって移動中に強い横風を受けても可動モールの移動安定性を確保することができる。
【００３５】
請求項８記載の可動モールによれば、ブロック連接用蝶番は、シリンダーの伸縮で旋回して左右の躯体フレームを離したり寄せたりする扇形歯車を備えることができるために、隣接ブロック同士の長手方向中間部を『く』の字状に屈曲した形態を取る際に、昇降可能な駆動輪の向きを変換しなくても、シリンダーの伸縮によって扇形歯車を旋回することで容易に可動モールの外観変更を行うことができる。
【図面の簡単な説明】
【図１】本発明に係る可動モールのトンネル状態を示す端面図である。
【図２】本発明の第１の実施の形態に係る２連ブロック式可動モールの『く』の字状展開状態を示す平面図である。
【図３】第１の実施の形態に係る可動モールの図２における III部の自走台車周りを示す拡大平面図である。
【図４】第１の実施の形態に係る可動モールの自走台車周りを示す拡大立面図である。
【図５】第１の実施の形態に係る可動モールの分離可能な蝶番を示す平面図である。
【図６】本発明の第２の実施の形態に係る２連ブロック式可動モールの『く』の字状展開状態を示す平面図である。
【図７】第２の実施の形態に係る可動モールの図６における VII− VII線に沿った断面を示す断面図である。
【図８】第２の実施の形態に係る可動モールの図６におけるVIII−VIII線に沿った断面を示す断面図である。
【図９】第２の実施の形態に係る可動モールの図６におけるIX−IX線に沿った断面を示す断面図である。
【図１０】第２の実施の形態に係る可動モールの躯体フレーム展開用駆動装置を示す平面図である。
【符号の説明】
１，２  可動モール
１Ａ，１Ｂ，２Ａ，２Ｂ  ブロック
１０，２０  躯体フレーム
１１，２１  蝶番
１４  アウトリガー
１５  自走台車
１５Ｂ  キャスター転動輪
１５Ｃ  駆動輪
２６  エアーベアリング
２７  駆動輪
２８  扇形歯車
２８Ａ  シリンダー
２９  案内ローラ
Ｇ  路面
ｇ，ｇ′  案内溝
【図１】
0003540581.tif 000002
【図２】
0003540581.tif 000003
【図３】
0003540581.tif 000004
【図４】
0003540581.tif 000005
【図５】
0003540581.tif 000006
【図６】
0003540581.tif 000007
【図７】
0003540581.tif 000008
【図８】
0003540581.tif 000009
【図９】
0003540581.tif 000010
【図１０】
0003540581.tif 000011